(57)【要約】      （修正有）【課題】洗浄後の衣類の風合いが良好で、洗浄性能に優れるドライクリーニング用洗浄液の提供。【解決手段】無水マレイン酸−エーテル化合物共重合体（ａ）、および非イオン性界面活性剤（ｂ）を含むドライクリーニング用洗浄剤組成物であって、該無水マレイン酸−エーテル化合物共重合体（ａ）が、式（Ｉ）で示されるエーテル化合物： Ｒ１−Ｏ−（ＡＯ）ｎ−Ｒ２  （Ｉ）（式中、Ｒ１は炭素数２〜５のアルケニル基、Ｒ２は炭素数１〜２４の飽和炭化水素基、Ａは炭素数２〜４のアルキレン基であり、ｎは５〜１００の整数である）と無水マレイン酸とを必須の構成単位とする、重量平均分子量が５，０００〜１００，０００の共重合体、またはその誘導体であり、該組成物中に、該無水マレイン酸−エーテル化合物共重合体（ａ）が０．１〜２０質量％、そして、該非イオン性界面活性剤（ｂ）が５〜７０質量％の割合で含有される、ドライクリーニング用洗浄剤組成物。【選択図】なし【特許請求の範囲】
【請求項１】
無水マレイン酸−エーテル化合物共重合体（ａ）、および非イオン性界面活性剤（ｂ）を含むドライクリーニング用洗浄剤組成物であって、
該無水マレイン酸−エーテル化合物共重合体（ａ）が、式（Ｉ）で示されるエーテル化合物：
Ｒ１−Ｏ−（ＡＯ）ｎ−Ｒ２                    （Ｉ）
（式中、Ｒ１は炭素数２〜５のアルケニル基、Ｒ２は炭素数１〜２４の飽和炭化水素基、Ａは炭素数２〜４のアルキレン基であり、そしてｎは５〜１００の整数である）と無水マレイン酸とを必須の構成単位とする、重量平均分子量が５，０００〜１００，０００の共重合体、またはその誘導体であり、
該組成物中に、該無水マレイン酸−エーテル化合物共重合体（ａ）が０．１〜２０質量％、そして、該非イオン性界面活性剤（ｂ）が５〜７０質量％の割合で含有される、ドライクリーニング用洗浄剤組成物。
【請求項２】
請求項１に記載のドライクリーニング用洗浄剤組成物、ならびにハロゲン系溶剤、石油系溶剤、およびシリコーン系溶剤よりなる群から選択される少なくとも１種の溶剤を含有し、該溶剤が、該組成物１容量部に対して、５〜１０００倍容量部の割合で含有される、ドライクリーニング用洗浄液。
【発明の詳細な説明】
【技術分野】
【０００１】
本発明は、ドライクリーニング用洗浄剤組成物および該組成物を含有するドライクリーニング用洗浄液に関する。さらに詳しくは、貯蔵安定性に優れたドライクリーニング用洗浄剤組成物および該組成物を含有し、洗浄後の衣類の風合いが良好であり、洗浄性能に優れるドライクリーニング用洗浄液に関する。
【背景技術】
【０００２】
ドライクリーニングは、有機溶剤を媒体とする洗浄方法であり、衣類の収縮および光沢消失などの問題が生じにくいことから、スーツおよびセーターのような毛織物、ならびにネクタイおよびスカーフのような絹織物などの洗浄において広く行われている。
【０００３】
ドライクリーニングは、ハロゲン系溶剤、石油系溶剤、およびシリコーン系溶剤などの有機溶剤に汚れを溶解させて洗浄するため、特に、これらの溶剤と相溶性が高い油性汚れに対する洗浄に優れている。しかし、「はり」および「こし」といった衣類の風合いを求める要望が顕在化している近年では、洗浄後の衣類の風合いが良好なドライクリーニング用洗浄剤組成物が要望されている。
【０００４】
ドライクリーニング用洗浄剤組成物には、洗浄力増強のために非イオン性界面活性剤、陰イオン性界面活性剤および添加剤（水溶性高分子など）が含有され、さらに上記の有機溶剤などが含有される。しかし、特に夏および冬場には、洗浄剤組成物全体がゲル化し、あるいは分離などを起こし、そのため溶剤で希釈して洗浄液を調製することが困難になる場合が多い。このように、ドライクリーニング用洗浄剤組成物は、貯蔵安定性について問題となる場合が多く、貯蔵安定性に優れたドライクリーニング用洗浄剤組成物が要望されている。
【０００５】
例えば、特許文献１においては、分子量３５００以下のポリエーテル変性シリコーン、および非イオン性界面活性剤を配合した組成物が、特許文献２においては、環状ポリシロキサン、およびＨＬＢが２〜１０のポリオキシアルキレン型ノニオン性界面活性剤を配合した組成物が、特許文献３においては、環状ポリシロキサン、界面活性剤および親水性溶剤を配合した組成物が開示されている。
【０００６】
しかし、これらの洗浄剤組成物を用いた場合、洗浄後の衣類の風合いは必ずしも満足できるものではない。
【０００７】
さらに、衣類に風合いを持たせる繊維処理方法としては、固形パラフィンを溶剤に溶解させ、この溶液を繊維に塗布する方法がある。しかし、洗浄後の衣類に「ゴワツキ」や静電気が生じやすく、さらに固形パラフィンが溶剤中に蓄積することによって、クリーニング本来の目的である洗浄効果が低減するという問題がある。
【０００８】
さらに、特許文献４においては、オレイン酸、ラノリン、スクワラン、および界面活性剤を用いる方法が開示されている。しかし、衣類に光沢は与えるものの、衣類の風合いおよび貯蔵安定性が必ずしも満足できるものではない。
【特許文献１】特開平５−５９３９５号公報
【特許文献２】特開平９−１３０９５号公報
【特許文献３】特開平９−１７６６９７号公報
【特許文献４】特開平６−３０６３９８号公報
【発明の開示】
【発明が解決しようとする課題】
【０００９】
本発明の目的は、貯蔵安定性に優れたドライクリーニング用洗浄剤組成物および該組成物を含有し、洗浄後の衣類の風合いが良好であり、洗浄性能に優れるドライクリーニング用洗浄液を提供することにある。
【課題を解決するための手段】
【００１０】
本発明のドライクリーニング用洗浄剤組成物は、無水マレイン酸−エーテル化合物共重合体（ａ）、および非イオン性界面活性剤（ｂ）を含むドライクリーニング用洗浄剤組成物であって、該無水マレイン酸−エーテル化合物共重合体（ａ）は、式（Ｉ）で示されるエーテル化合物： 
Ｒ１−Ｏ−（ＡＯ）ｎ−Ｒ２                    （Ｉ）
（式中、Ｒ１は炭素数２〜５のアルケニル基、Ｒ２は炭素数１〜２４の飽和炭化水素基、Ａは炭素数２〜４のアルキレン基であり、そしてｎは５〜１００の整数である）と無水マレイン酸とを必須の構成単位とする、重量平均分子量が５，０００〜１００，０００の共重合体、またはその誘導体であり、該組成物中に、該無水マレイン酸−エーテル化合物共重合体（ａ）が０．１〜２０質量％、そして、該非イオン性界面活性剤（ｂ）が５〜７０質量％の割合で含有される。
【００１１】
本発明のドライクリーニング用洗浄液は、請求項１に記載のドライクリーニング用洗浄剤組成物、ならびにハロゲン系溶剤、石油系溶剤、およびシリコーン系溶剤よりなる群から選択される少なくとも１種の溶剤を含有し、該溶剤が、該組成物１容量部に対して、５〜１０００倍容量部の割合で含有される。
【発明の効果】
【００１２】
本発明のドライクリーニング用洗浄剤組成物は、貯蔵安定性に優れており、該組成物を含有する本発明のドライクリーニング用洗浄液は、洗浄後の衣類の風合いが良好であり、洗浄性能に優れる。
【発明を実施するための最良の形態】
【００１３】
以下、本発明のドライクリーニング用洗浄剤組成物およびドライクリーニング用洗浄液について順次説明する。
【００１４】
本発明のドライクリーニング用洗浄剤組成物は、下記の無水マレイン酸−エーテル化合物共重合体（以下、化合物ａ、ａ成分などという場合がある）、および非イオン性界面活性剤（以下、化合物ｂ、ｂ成分などという場合がある）を含み、必要に応じて溶剤および添加剤（以下、ｃ成分などという場合がある）を含み得る。
【００１５】
（ａ成分）
ａ成分は、無水マレイン酸−エーテル化合物共重合体であり、式（Ｉ）で示されるエーテル化合物と無水マレイン酸とを必須の構成単位とし、必要に応じて他の構成単位を有する共重合体、またはその誘導体である。
Ｒ１−Ｏ−（ＡＯ）ｎ−Ｒ２                    （Ｉ）
（式中、Ｒ１は炭素数２〜５のアルケニル基、Ｒ２は炭素数１〜２４の飽和炭化水素基、Ａは炭素数２〜４のアルキレン基であり、そしてｎは５〜１００の整数である）
【００１６】
無水マレイン酸−エーテル化合物共重合体の誘導体としては、該共重合体の無水マレイン酸部分が、無水マレイン酸の加水分解物であるジカルボン酸、そのナトリウムおよびカリウムなどのアルカリ金属塩、炭素数１〜２０のアルキル基またはアルケニル基を有するアルコールとのエステル化物などに置換された共重合体などが挙げられる。エーテル化合物と無水マレイン酸とを共重合させた後、得られた共重合体の無水マレイン酸部分を加水分解など行なうことによって、誘導体を得てもよいし、エーテル化合物と無水マレイン酸誘導体とを共重合させて、誘導体を得てもよい。
【００１７】
式（Ｉ）で示されるエーテル化合物および無水マレイン酸以外の構成単位は、具体的には、次の単量体に由来し得る：アクリル酸、メタクリル酸、イタコン酸、クロトン酸、マレイン酸などの不飽和カルボン酸およびこれらの塩（アルカリ金属塩、アンモニウム塩、有機アミン塩など）；これらのカルボン酸と炭素数１〜２４のアルコールとのエステル；スチレンおよびメチルスチレンなどの芳香族ビニル化合物；イソブチレンおよびジイソブチレンなどのオレフィン類；酢酸ビニル；アクリロニトリル；アクリルアミドなど。上記共重合体の誘導体はアルカリ金属塩であることが好ましい。衣類に風合いを付与する効果の点から、式（Ｉ）で示されるエーテル化合物および無水マレイン酸以外の単量体の添加量は、単量体全体のモル数の４０モル％以下、好ましくは３０モル％以下である。
【００１８】
式（Ｉ）で示されるエーテル化合物において、Ｒ１は上述のように、炭素数２〜５のアルケニル基であり、ビニル基、アリル基、メタリル基、１，１−ジメチル−２−プロペニル基、３−メチル−３−ブテニル基などが挙げられる。これらのうちで、ビニル基およびアリル基が好ましい。
【００１９】
式（Ｉ）で示されるエーテル化合物において、Ｒ２は上述のように、炭素数１〜２４の飽和炭化水素基を示し、炭素数は、好ましくは１〜４である。具体的には、メチル基、エチル基、プロピル基、イソプロピル基、ブチル基、イソブチル基、ｔｅｒｔ−ブチル基、アミル基、イソアミル基、ヘキシル基、ヘプチル基、２−エチルヘキシル基、オクチル基、ノニル基、デシル基、ウンデシル基、ドデシル基、イソトリデシル基、テトラデシル基、ヘキサデシル基、イソヘキサデシル基、オクタデシル基、イソオクタデシル基、オクチルドデシル基、ドコシル基、デシルテトラデシル基などが挙げられる。これらのうちで、メチル基、エチル基、プロピル基およびブチル基が好ましい。
【００２０】
式（Ｉ）で示されるエーテル化合物において、Ａは上述のように、炭素数２〜４のアルキレン基を示し、ｎは５〜１００の整数であり、好ましくは１０〜５０の整数である。ｎが５未満の場合は、衣類に風合いを付与する効果が不充分になる。また、ｎが１００を超える場合は、組成物の貯蔵安定性が低下するおそれがある。炭素数２〜４のアルキレン基としては、例えば、エチレン基、プロピレン基、およびブチレン基などが挙げられる。なお、本明細書において「ＡＯ」は、オキシエチレン基などのように１種のみのオキシアルキレン基を表すだけではなく、例えば、オキシエチレン基およびオキシプロピレン基などのように２種以上のオキシアルキレン基で構成される基をも表し得る。また、２種以上のオキシアルキレン基を構成単位とする場合、（ＡＯ）ｎ部分の重合形態は、ランダム重合およびブロック重合のいずれであってもよい。
【００２１】
衣類に風合いを付与する効果の点から、ａ成分は、式（Ｉ）で示されるエーテル化合物および無水マレイン酸を、３０／７０〜７０／３０のモル比で含むことが好ましい。
【００２２】
本発明のドライクリーニング用洗浄剤組成物に用いられるａ成分の無水マレイン酸−エーテル化合物共重合体の重量平均分子量は５，０００〜１００，０００であり、好ましくは１０，０００〜５０，０００である。重量平均分子量が５，０００未満の場合は、衣類に風合いを付与する効果が不充分となるおそれがある。また、１００，０００を超える場合は、組成物の貯蔵安定性が低下するおそれがある。
【００２３】
（ｂ成分）
ｂ成分は、非イオン性界面活性剤であり、具体的には、ポリオキシアルキレンアルキルエーテル、ポリオキシアルキレンアルケニルエーテル、ポリオキシアルキレン脂肪酸エステル、しょ糖エステル、ポリオキシアルキレンしょ糖エステル、ソルビタン脂肪酸エステル、ポリオキシアルキレンソルビタン脂肪酸エステル、脂肪酸アルカノールアミドまたはそのアルキレンオキシド付加物、モノグリセリン脂肪酸エステル、ポリグリセリン脂肪酸エステル、ポリオキシアルキレン硬化ヒマシ油、およびアルキルグリコシドなどが挙げられる。これらの中で、より高い洗浄力を確保する面からポリオキシアルキレン脂肪酸エステルおよびソルビタン脂肪酸エステルが好ましい。またポリオキシアルキレン脂肪酸エステルおよびソルビタン脂肪酸エステルに用いられる脂肪酸としては、ステアリン酸およびオレイン酸が好ましい。
【００２４】
（溶剤および添加剤）
本発明のドライクリーニング用洗浄剤組成物は通常、溶剤を含み、必要に応じて後述する添加剤（ｃ成分）を含む。このような溶剤としては、例えば、ｎ−デカン、イソパラフィン、テトラクロロエチレン、ＨＣＦＣ−２２５、デカメチルシクロペンタシロキサン、メチルフェニルポリシロキサンなどが挙げられる。溶剤は単独で用いてもよいし、２種類以上を併用してもよい。
【００２５】
本発明のドライクリーニング用洗浄剤組成物に含まれ得る添加剤（ｃ成分）は、本発明の効果を阻害しない範囲で配合することができる。添加剤としては、例えば、アルキルイミダゾリン型界面活性剤、アルキルジメチルヒドロキシエチルアンモニウム塩型界面活性剤などの陽イオン性界面活性剤；アルキルリン酸エステル塩、ジアルキルスルホコハク酸塩、アルキルエーテルスルホン酸塩およびアルキルベンゼンスルホン酸塩などの陰イオン性界面活性剤；アルキルベタイン、アミドベタイン、イミダゾリニウムベタイン、スルホベタインなどの両性界面活性剤；メチルアルコール、エチルアルコール、３−メチル−３−メトキシブタノールなどの低級アルコール；グリセリン、ジエチレングリコール、ジプロピレングリコールなどの多価アルコール；トリクロサンなどの抗菌剤；ポリエーテル変性シリコーンなどの表面潤滑剤；キレート剤；ベンゾトリアゾールなどの金属腐食防止剤；蛍光増白剤などが挙げられる。
【００２６】
（ドライクリーニング用洗浄剤組成物）
本発明のドライクリーニング用洗浄剤組成物は、上述のように無水マレイン酸−エーテル化合物共重合体（ａ成分）および非イオン性界面活性剤（ｂ成分）を特定の割合で含み、一般に溶剤を含み、必要に応じて添加剤（ｃ成分）を含む。
【００２７】
ａ成分は、ドライクリーニング用洗浄剤組成物に０．１〜２０質量％、好ましくは０．５〜１０質量％の割合で含まれる。０．１質量％未満の場合は、衣類に風合いを付与する効果が不充分となるおそれがある。２０質量％を超える場合は、組成物の貯蔵安定性を損なう場合がある。ａ成分は単独で用いてもよいし、２種類以上を併用してもよい。
【００２８】
ｂ成分は、ドライクリーニング用洗浄剤組成物に５〜７０質量％、好ましくは１５〜５０質量％の割合で含まれる。５質量％未満の場合は、洗浄剤の洗浄力が低下する場合がある。７０質量％を超える場合は、組成物の貯蔵安定性を損なう場合がある。ｂ成分は単独で用いてもよいし、２種類以上を併用してもよい。
【００２９】
（ドライクリーニング用洗浄液）
本発明のドライクリーニング用洗浄剤組成物は、ハロゲン系溶剤、石油系溶剤、およびシリコーン系溶剤よりなる群から選択される少なくとも１種の溶剤で希釈して洗浄液として使用できる。ハロゲン系溶剤としては、例えば、テトラクロロエチレン、ＨＣＦＣ−２２５およびＨＣＦＣ−１４１Ｂなどが挙げられ、石油系溶剤としては、例えば、ｎ−パラフィン、イソパラフィンおよびナフテンなどが挙げられ、シリコーン系溶剤としては、例えば、ポリジメチルシロキサン、メチルフェニルポリシロキサンおよび環状ポリシロキサンなどが挙げられる。
【００３０】
ハロゲン系溶剤、石油系溶剤およびシリコーン系溶剤は、本発明のドライクリーニング用洗浄剤組成物に対して５〜１０００倍容量、好ましくは５０〜３００倍容量添加する。５倍容量未満の場合は、コスト的に不利である。また１０００倍容量を越える場合は、良好な洗浄力、衣類に風合いを付与する効果が不充分になるおそれがある。最終的に得られるドライクリーニング用洗浄液には、通常ａ成分およびｂ成分が、合計量で０．０１〜０．５質量％の割合で含有され、ａ成分およびｂ成分の質量比（ａ／ｂ）は１／１００〜１／１であり、１／５０〜１／３であることがより好ましい。
【実施例】
【００３１】
次に実施例によって、本発明をさらに詳細に説明する。
【００３２】
（実施例１．１）
表１に示す各成分を表１に示す割合で混合し、ドライクリーニング用洗浄剤組成物を得た。
【００３３】
【表１】
2006152219.tif 000002
【００３４】
表１中における化合物ａ１〜化合物ａ３は、無水マレイン酸−エーテル化合物共重合体（ａ成分）であり、以下に示す共重合体である。
【００３５】
（化合物ａ１）
無水マレイン酸４７モル％と、式（Ｉ）においてＲ１がビニル基、Ｒ２がブチル基、ＡＯがオキシプロピレン基であって、ｎが１２である化合物４７モル％と、スチレン６モル％との共重合体のナトリウム塩（重量平均分子量（以下ＭＷとする）＝４５，８００）。
【００３６】
（化合物ａ２）
無水マレイン酸３５モル％と、式（Ｉ）においてＲ１がビニル基、Ｒ２がブチル基、ＡＯがオキシエチレン基であって、ｎが２８である化合物６５モル％との共重合体（ＭＷ＝３３，６００）。
【００３７】
（化合物ａ３）
無水マレイン酸７５モル％と、式（Ｉ）においてＲ１がビニル基、Ｒ２がメチル基、ＡＯがオキシエチレン基であって、ｎが１０である化合物２５モル％との共重合体（ＭＷ＝１８，５００）。
【００３８】
得られたドライクリーニング用洗浄剤組成物について、（１）貯蔵安定性について下記の方法により評価した。結果を表１に示す。
【００３９】
（１）貯蔵安定性の評価
各ドライクリーニング用洗浄剤組成物８０ｍｌを、１００ｍｌのガラス製バイアルに入れて、−５℃、２５℃および４５℃の恒温槽で１ヶ月間保存した。１ヶ月後、その外観を観察して、以下の基準で目視判定した。
〇：いずれの温度でも組成物が、保存前と外観の変化がなかった。
×：いずれかの温度でゲル化、分離、および沈殿物が析出するなど、外観に変化が認められた。
【００４０】
（実施例１．２〜１．５）
実施例１．１と同様に、表１に示す各成分を表１に示す割合で混合し、ドライクリーニング用洗浄剤組成物を得、実施例１．１と同様に、（１）貯蔵安定性について評価を行なった。結果を表１に示す。
【００４１】
（比較例１．１〜１．３）
表２に示す各成分を表２に示す割合で混合し、ドライクリーニング用洗浄剤組成物を得た。比較例１．３は、ａ成分の代わりにスクワランを用いた。
【００４２】
【表２】
2006152219.tif 000003
【００４３】
表２中の化合物ａ’１は、以下に示す共重合体である。
【００４４】
（化合物ａ’１）
無水マレイン酸２５モル％と、式（Ｉ）においてＲ１がビニル基、Ｒ２がブチル基、ＡＯがオキシプロピレン基であって、ｎが１５０である化合物７５モル％との共重合体のナトリウム塩（ＭＷ＝２００，０００）。
【００４５】
得られたドライクリーニング用洗浄剤組成物について、実施例１．１と同様に、（１）貯蔵安定性について評価を行なった。結果を表２に示す。
【００４６】
実施例１．１〜１．５のドライクリーニング用洗浄剤組成物は、貯蔵安定性に優れている。一方、比較例１．１では、ａ成分である化合物ａ１が、本発明の範囲よりも多く含有されているため貯蔵安定性が不良である。比較例１．２および１．３では、ａ成分が含有されていないため貯蔵安定性が不良である。
【００４７】
（実施例２．１）
表３に示す各成分を表３に示す割合で混合してドライクリーニング用洗浄剤組成物を得た。これを用いて（２）洗浄力および再汚染防止力および（３）風合いについて下記の方法により評価した。結果を表３に示す。
【００４８】
（２）洗浄力および再汚染防止力の評価
各ドライクリーニング用洗浄剤組成物の容量に対して２００倍容量のｎ−デカンを溶剤として添加し、ドライクリーニング用洗浄液を調製した。次いで、これらのドライクリーニング用洗浄液５００ｍｌをＴｅｒｇ−Ｏ−ｔｏｍｅｔｅｒのカップに入れ、その中に日本油化学協会法汚染布（ウール：１０ｃｍ×１０ｃｍ）および白布（ウール：１０ｃｍ×１０ｃｍ）各２枚を入れた。次いで、３０℃、７０ｒｐｍにて２０分間洗浄し、汚染布および白布を乾燥した。乾燥後、汚染布および白布の光に対する表面反射率をカラーコンピューターＳＭ−４型（スガ試験機製）で測定した。洗浄率および再汚染率を以下の式で求めた。
洗浄率（％）＝｛（Ｙ４−Ｙ３）／（Ｙ０−Ｙ３）｝×１００
再汚染率（％）＝｛（Ｙ０−Ｙ１）／Ｙ０｝×１００
式中Ｙ０は洗浄前の白布の反射率、Ｙ１は洗浄後の白布の反射率、Ｙ３は洗浄前の汚染布の反射率、およびＹ４は洗浄後の汚染布の反射率である。洗浄率が、５０％以上の洗浄剤を洗浄力が良好な洗浄剤と評価し、表３および後述の表４においては、洗浄率が５０％以上を○、５０％未満を×として表した。再汚染率が、５％未満の洗浄剤を再汚染防止力が良好な洗浄剤と評価し、表３および後述の表４においては、再汚染率が５％未満を○、５％以上を×として表した。
【００４９】
（３）風合いの評価
２０ｃｍ×２０ｃｍのウール白布（試験布）を、上記（２）に記載の方法で洗浄した。洗浄したウール白布を室温下で自然乾燥した後、２５℃、６５％ＲＨの恒温恒湿室に２４時間放置した。その後、２０名の女性をパネラーとし、洗浄・乾燥後のウール白布を３枚重ねたものを１サンプルとし、このサンプルを手で揉むように触り、「はり」、「こし」などを総合的に判断して風合いを下記の基準で評価した。
３点：風合いがよいと感じられた場合。
２点：風合いがややよいと感じられた場合。
１点：風合いのよさが感じられなかった場合。
２０名の合計点を求め、合計点が５０点以上の洗浄剤を風合いが良好な洗浄剤と評価した。表３および後述の表４においては、合計点が５０点以上を○、５０点未満を×として表した。
【００５０】
【表３】
2006152219.tif 000004
【００５１】
（実施例２．２〜２．５）
実施例２．１と同様に、表３に示す各成分を表３に示す割合で混合し、ドライクリーニング用洗浄剤組成物を得、実施例２．１と同様に、溶剤で希釈して洗浄液を調製し、（２）洗浄力および再汚染防止力および（３）風合いについて下記の方法により評価した。結果を表３に示す。溶剤としては、実施例２．２においてはテトラクロロエチレンおよび実施例２．３および２．５においてはデカメチルシクロペンタシロキサンを用いた。
【００５２】
（比較例２．１〜２．５）
表４に示す各成分を表４に示す割合で混合し、ドライクリーニング用洗浄剤組成物を得た。
【００５３】
【表４】
2006152219.tif 000005
【００５４】
表４中の化合物ａ’２は固形パラフィンであり、化合物ａ’３は、以下に示す共重合体である。
【００５５】
（化合物ａ’３）
無水マレイン酸４５モル％と、式（Ｉ）においてＲ１がビニル基、Ｒ２がブチル基、ＡＯがオキシエチレン基であって、ｎが２である化合物４５モル％と、スチレン１０モル％との共重合体のナトリウム塩（ＭＷ＝２，０００）。
【００５６】
このドライクリーニング用洗浄剤組成物を用い、実施例２．１と同様に、（２）洗浄力および再汚染防止力および（３）風合いについて評価を行なった。溶剤としては、比較例２．４においてはテトラクロロエチレンを用い、その他はｎ−デカンを用いた。結果を表４に示す。
【００５７】
実施例２．１〜２．５のドライクリーニング用洗浄剤組成物を用いた洗浄液で洗浄すると、試験布の風合いが良好であり、洗浄力に優れており、そして再汚染が少ない。
【００５８】
一方、ａ成分を含有しない比較例２．１の洗浄剤組成物を用いた洗浄液で洗浄すると、試験布の風合いが不充分であった。ｂ成分を含有しない比較例２．２の洗浄剤組成物を用いた洗浄液で洗浄すると、洗浄力は不充分であった。ａ成分の代わりに固形パラフィン（化合物ａ’２）を含有する比較例２．３の洗浄剤組成物を用いた洗浄液で洗浄すると、洗浄力は不良で、再汚染が多く、試験布の風合いも不充分であった。ａ成分と同様の構造を有するが分子量が低い化合物（化合物ａ’３）を含有する比較例２．４の洗浄剤組成物を用いた洗浄液で洗浄すると、試験布の風合いが不充分であった。ａ成分の代わりにスクワランを含有する比較例２．５の洗浄剤組成物を用いた洗浄液で洗浄すると、試験布の風合いが不充分であった。
【産業上の利用可能性】
【００５９】
本発明のドライクリーニング用洗浄剤組成物は、貯蔵安定性に優れ、該組成物を含有する洗浄液は、洗浄後の衣類の風合いが良好であり、洗浄性能に優れているので、ドライクリーニング用の溶剤で希釈することにより、ドライクリーニング用洗浄液として利用できる。